(57)【要約】【課題】開封時に商品のほぼ実容積に対応する容積に減少させる。【解決手段】正面板２、背面板６、左右の側面板３，５、上面板７及び底面板からなる包装容器１において、背面板３にその上端縁から包装容器１の奥行きに対応する間隔をおいて左右方向に延びる折り目ｍを形成する一方、折り目ｍに連続して左右の側面板３，５及び正面板２に左右方向に延びる切り裂き目を形成するとともに、正面板２の上端縁に切り裂き目を形成し、正面板２の上端縁の切り裂き目の左右各端縁から下り勾配の切り裂き目を上下方向に延びる切れ目を介して左右の側面板３，５の切り裂き目に連続して形成する。そして、左右の側面板３，５及び正面板２に左右方向に延びる切り裂き目と、左右の側面板３，５の傾斜する切り裂き目及び正面板２の上端縁の切り裂き目とによって区画された部分を切り裂いて除去した後、背面板６の折り目ｍに沿って折り込むことにより、高さが縮小した包装容器を形成する。【選択図】図３
2014097820.tif 000002
【特許請求の範囲】
【請求項１】
正面板、背面板、左右の側面板、上面板及び底面板からなる包装容器において、背面板にその上端縁から包装容器の奥行きに対応する間隔をおいて左右方向に延びる折り目を形成する一方、折り目に連続して左右の側面板及び正面板に左右方向に延びる切り裂き目を形成するとともに、正面板の上端縁に切り裂き目を形成し、正面板の上端縁の切り裂き目の左右各端縁から下り勾配の切り裂き目を上下方向に延びる切れ目を介して、もしくは、直接左右の側面板の切り裂き目に連続して形成し、左右の側面板及び正面板に左右方向に延びる切り裂き目と、左右の側面板の傾斜する切り裂き目及び正面板の上端縁の切り裂き目とによって区画された部分を切り裂いて除去し、背面板の折り目に沿って折り込んで容積を縮小させることを特徴とする包装容器。
【請求項２】
請求項１に記載の包装容器において、正面板の左右方向に延びる切り裂き目によって係止片が形成されるとともに、上面板が接着される左右の上フラップに、正面板の表面に沿って折り込まれた係止片と係止可能な係合部を有する切欠部が形成されることを特徴とする包装容器。
【発明の詳細な説明】
【技術分野】
【０００１】
本発明は、包装容器に関するものである。
【背景技術】
【０００２】
従来より、菓子や食品等の商品を収納するため、紙製の包装容器が使用されている。この包装容器は、商品を収納して上面板で密閉した後、出荷される。そして、商品を購入した消費者は、包装容器を開封して商品を取り出した後、再び商品を包装容器に収納し、上面板を閉鎖することによって保管するようにしている（例えば、特許文献１参照）。
【先行技術文献】
【特許文献】
【０００３】
【特許文献１】特開２００２−８７４２７号公報
【発明の概要】
【発明が解決しようとする課題】
【０００４】
しかしながら、前述した包装容器は容積が一定であり、一部商品を消費することによって容積が減少した商品に対応することはできないものである。例えば、商品を袋詰めして出荷する場合、商品とともに空気が充填され、空気が充填された商品の袋体は、商品の実容積に比較して見かけ上大きな容積に形成される。したがって、工場出荷時には、商品が空気とともに密封された袋体に対応する容積の包装容器が必要となる。一方、商品を購入した消費者が包装容器を開封して袋体を取り出し、袋体を破って商品を一部消費すれば、空気が放散し、残りの商品のほぼ実容積に対応する容積の袋体となる。したがって、出荷時の包装容器に、残りの商品のほぼ実容積に減少した袋体を収納すると、再度商品の袋体を包装容器から取り出すとき、商品の袋体を摘み出しにくいという欠点があった。
【０００５】
本発明は、このような問題点に鑑みてなされたもので、開封時に商品のほぼ実容積に対応する容積に減少させて商品を容易に取り出すことのできる包装容器を提供するものである。
【課題を解決するための手段】
【０００６】
本発明は、正面板、背面板、左右の側面板、上面板及び底面板からなる包装容器において、背面板にその上端縁から包装容器の奥行きに対応する間隔をおいて左右方向に延びる折り目を形成する一方、折り目に連続して左右の側面板及び正面板に左右方向に延びる切り裂き目を形成するとともに、正面板の上端縁に切り裂き目を形成し、正面板の上端縁の切り裂き目の左右各端縁から下り勾配の切り裂き目を上下方向に延びる切れ目を介して、もしくは、直接左右の側面板の切り裂き目に連続して形成し、左右の側面板及び正面板に左右方向に延びる切り裂き目と、左右の側面板の傾斜する切り裂き目及び正面板の上端縁の切り裂き目とによって区画された部分を切り裂いて除去し、背面板の折り目に沿って折り込んで容積を縮小させることを特徴とするものである。
【０００７】
本発明によれば、左右の側面板及び正面板に左右方向に延びる切り裂き目と、左右の側面板の傾斜する切り裂き目及び正面板の上端縁の切り裂き目とによって区画された部分をそれらの切り裂き目に沿って切り裂いて除去するとともに、背面板の折り目に沿って折り込んで上方を開口することにより、内部に収納された商品を取り出すことができる。
【０００８】
一部の商品を消費し、容積が減少した商品を内部に収納した後、背面板の折り目に沿って折り込むことにより、上端開口を背面板の折り目よりも上方部分を上面板として閉鎖することができる。この際、上面板は、正面板の表面に沿って配置されるとともに、左右の側面板の傾斜された切り裂き目よりも上方部分が、その左右方向に延びる切り裂かれた端縁よりも下方の側面板の表面に沿って配置される。
【０００９】
この結果、包装容器は、背面板の折り目までに高さが縮小され、一部消費することで容積が減少した商品に対応させることができることから、再度商品を包装容器から取り出すとき、容易に取り出すことができる。
【００１０】
本発明において、正面板の左右方向に延びる切り裂き目によって係止片が形成されるとともに、上面板が接着される左右の上フラップに、正面板の表面に沿って折り込まれた係止片と係止可能な係合部を有する切欠部が形成されることが好ましい。これにより、上端開口を背面板の折り目よりも上方部分を上面板として閉鎖すると、正面板の係止片に、上面板に接着された左右の上フラップにおける切欠部による係合部が係止し、背面板の折り目よりも上方部分によって形成された上面板が意図することなく回動して上端開口を開放することを防止できる。
【発明の効果】
【００１１】
本発明によれば、開封時に商品のほぼ実容積に対応する容積に減少させて商品を容易に取り出すことができる。
【図面の簡単な説明】
【００１２】
【図１】本発明の包装容器の一実施形態を示す斜視図である。
【図２】図１の包装容器の展開図である。
【図３】図１の包装容器を切り裂き目によって区画された部分を除去して示す斜視図である。
【図４】図１の包装容器を容積を縮小して示す斜視図である。
【図５】図４の包装容器の上面部分を開放して示す斜視図である。
【発明を実施するための形態】
【００１３】
以下、本発明の実施の形態を図面に基づいて説明する。
【００１４】
図１には、本発明の包装容器１の一実施形態が示されている。
【００１５】
この包装容器１は、詳細には図示しないが、袋詰めされた菓子や食品等を収納するものであり、コートボールを図２に示す展開図にしたがって打ち抜いた後、折り目に沿って折り込むとともに、所定部分を貼着して組み立てられる。そして、包装容器１に袋詰めされた食品等の商品を収納して包装した後、出荷される。
【００１６】
この包装容器１は、図２の展開図において、正面板２の右側端縁に右側面板３及び糊代４が折り目ａ，ｂを介して順に連設されるとともに、正面板２の左側端縁に左側面板５及び背面板６が折り目ｃ，ｄを介して順に連設される一方、正面板２の上端縁に上面板７が切り裂き目ｅを介して連設されるとともに、その下端縁に底面板８が折り目ｆを介して連設され、また、左右の側面板３，５の上下各端縁に上フラップ９及び下フラップ１０が前述した切り裂き目ｅ及び折り目ｆに左右方向に連続する折り目ｇ，ｈを介してそれぞれ連設され、さらに、背面板６の上下各端縁に上糊代１１及び下糊代１２が前述した折り目ｇ，ｈに左右方向に連続する折り目ｉ，ｊを介してそれぞれ連設されて構成されている。
【００１７】
そして、側面板３，５には、その上端縁（折り目ｇ）から側面板３，５の幅（折り目ａ，ｂ間の間隔）に相当する間隔をおいて左右方向に延びる切り裂き目ｋが形成され、この切り裂き目ｋに連続して背面板６に左右方向に延びる折り目ｍが形成されている。また、正面板２には、側面板３，５に形成された切り裂き目ｋに連続して略浅いハット状の切り裂き目ｎが左右対称に形成されている。
【００１８】
さらに、右側面板３には、切り裂き目ｋよりも上方において、正面板２と上面板７との切り裂き目ｅの右端縁から糊代４との折り目ｂにかけて下り勾配の切り裂き目ｐが形成されるとともに、該切り裂き目ｐと折り目ｂとの交点から切り裂き目ｋと折り目ｂとの交点にかけて上下方向に延びる切れ目ｑが形成されている。同様に、左側面板５には、切り裂き目ｋよりも上方において、正面板２と上面板７との切り裂き目ｅの左端縁から背面板６との折り目ｄにかけて下り勾配の切り裂き目ｐが形成されるとともに、該切り裂き目ｐと折り目ｄとの交点から切り裂き目ｋと折り目ｄとの交点にかけて上下方向に延びる切れ目ｑが形成されている。
【００１９】
なお、正面板２に形成されたハット状の切り裂き目ｎのハット部には、切り裂き目ｋの延長線上に位置して折り目ｒが形成されており、これらの切り裂き目ｎ及び折り目ｒに区画された部分が後述する係止片２１に形成される。
【００２０】
また、左右の上フラップ９は、係止片２１に係止可能な係止部９ａを形成するように、上部外方の隅角部が方形状に切り欠かれるとともに、上糊代１１の上部外方の隅角部が方形状に切り欠かれるのに対応して、表面側に膨出する方形状のエンボス９１が形成されている。これにより、左右の上フラップ９，９を折り込むとともに、上糊代１１を順に折り込んだ際、上糊代１１の切欠部に、該上糊代１１の表面とほぼ面一に膨出する上フラップ９のエンボス９１が配置される。
【００２１】
次に、このように構成された包装容器１の組み立て手順について説明する。
【００２２】
まず、図２の展開図にしたがってコートボールを打ち抜いた後、裏面が表面を向くように表裏反転させ、右側面板３を糊代４とともに折り目ａに沿って谷折りし、糊代４の表面に接着材を塗布する。次いで、背面板６を折り目ｄに沿って谷折りし、その側端縁部裏面を糊代４に接着する。さらに、下糊代１２の表面に接着剤を塗布した後、左右の側面板３，５を正面板２に対して起立させ、次いで、左右の下フラップ１０，１０をそれぞれ左右の側面板３，５に対して折り目ｈ，ｈに沿って谷折りするとともに、下糊代１２を背面板６に対して折り目ｊに沿って谷折りした後、底面板８を正面板２に対して折り目ｆに沿って谷折りし、その裏面を下糊代１２に接着し、一端が開口した箱状体を形成する。
【００２３】
この後、底面板８が底面に位置するように箱状体を正立させた後、開口された上端部から袋詰めされた食品等の商品を供給し、収納する。そして、商品が収納されたならば、上フラップ９，９をそれぞれ左右の側面板３，５に対して折り目ｇ，ｇに沿って谷折りするとともに、上糊代１１を背面板６に対して谷折りし、左右の上フラップ９，９及び上糊代１１の表面に接着剤を塗布した後、上面板７を正面板２に対して切り裂き目ｅに沿って谷折りし、上面板７を左右の上フラップ９，９及び上糊代１１にわたって接着することにより、包装容器１を形成することができる（図１参照）。
【００２４】
ここで、上糊代１１の切欠部に、該上糊代１１の表面とほぼ面一に膨出する上フラップ９のエンボス９１が配置されることから、上面板７を左右の上フラップ９のエンボス９１及び上糊代１１にわたって接着することができる。
【００２５】
この後、詳細には図示しないが、包装容器１はフィルムで包装されて出荷される。
【００２６】
一方、店頭にて商品を購入した消費者はフィルムを剥離した後、左側面板５の切れ目ｑに指をかけて引き出すことにより、左側面板５が切り裂き目ｋ，ｐに沿って切り裂かれるとともに、これらの切り裂き目ｋ，ｐに連続して正面板２が切り裂き目ｎ，ｅに沿って切り裂かれ、さらに、これらの切り裂き目ｎ，ｅに連続して右側面板３が切り裂き目ｋ，ｐに沿って切り裂かれる。すなわち、図３に示すように、左側面板５、正面板２及び右側面板３にわたって切り裂き目ｋ，ｐ，ｎ，ｅ，ｋ，ｐ及び切れ目ｑ，ｑによって区画された部分が切り離される。
【００２７】
この状態で、背面板６を折り目ｍに沿って後方に向けて折り込むことにより、上端を開放することができ、開放された上端開口を通して食品等の商品を取り出すことができる。
【００２８】
袋詰めされた商品を開封し、商品の一部を取り出し、再び包装容器１に収納するときには、商品は、袋詰めされた空気が放出されるとともに、一部消費することによりその容積は減少している。ここで、商品を包装容器１に収納した後、折り目ｍに沿って前方に向けて折り込めば、包装容器１の上端開口は、背面板６の折り目ｍよりも上方部分を上面板として閉鎖される。この際、左右の上フラップ９，９及び上糊代１１にわたって接着された上面板７が、正面板２の、切り裂き目ｎに沿って切り裂かれた上端縁よりも下方側表面に被さり、一部商品を取り出すことで減少した商品の容積に対応する容積の包装容器１Ａを形成することができる（図４参照）。すなわち、背面板６の折り目ｍは、左右の側面板３，５の幅に合わせて形成されていることから、折り目ｍに沿って折り込まれた背面板６の上方部分は、包装容器１の上端開口を覆うことができるとともに、包装容器１の高さをその奥行き分だけ縮小させて容積を減少させている。
【００２９】
また、切り裂き目ｎに沿って切り裂かれてその端縁から突出する係止片２１を折り目ｒに沿って表面側に折り込むことにより、正面板２の表面側に被さる上面板７の裏面に上糊代１１とともに接着された左右の上フラップ９，９の係止部９ａ，９ａが係止片２１の端縁（折り込まれた下端縁）に係止し（図５参照）、包装容器１Ａの上端開口の意図しない開放、すなわち、上面板である背面板６の上方部分の回動を規制することができる。
【００３０】
このように、出荷時においては、袋詰めされた商品の容積に対応する容積に形成され、商品を購入した消費者が包装容器を開封し、商品の一部を消費すれば、容積を減少した商品の容積に対応する容積に減少させることができ、以後の商品の取り出しに際して容易に取り出すことができる。
【符号の説明】
【００３１】
１，１Ａ  包装容器
２  正面板
２１  係止片
３，５  側面板
６  背面板
７  上面板
８  底面板
９  上フラップ
９ａ  係合部
ａ，ｂ，ｃ，ｄ，ｆ，ｇ，ｈ，ｉ，ｊ，ｍ，ｒ  折り目
ｅ，ｋ，ｎ，ｐ  切り裂き目
ｑ  切れ目
【図１】
2014097820.tif 000003
【図２】
2014097820.tif 000004
【図３】
2014097820.tif 000005
【図４】
2014097820.tif 000006
【図５】
2014097820.tif 000007